(57)【要約】本発明は、ドクターブレードの必要性の管理方法に関し、前記方法において、ドクターブレードは、製紙／板紙工場において保管され使用され、使用されるドクターブレードの量は監視されている。当該方法では、ドクターブレードの量に関する情報は、ドクターブレード状態を管理するためにドクターブレードの製造者／供給者のデータ管理システム（２３、２４）にデータ伝達手段（２０）によって伝達される。ドクターブレードに関する情報は、データ管理システムに接続されるデータ収集手段（２２）によって受けとられる。情報はデータ管理システム（２３、２４）中で処理される。必要であれば、所望のドクターブレードの量を維持するためにドクターブレードは製紙／板紙工場に運搬される。本発明はまた、ドクターブレードの必要性を管理するためのシステムに関し、当該システムは以下を含む。当該システムは、製紙／板紙工場中でのドクターブレードのための保管／取り扱い装置およびドクターブレードの量を検出する手段を含む。当該システムは、ドクターブレードの供給者／製造者のデータ管理システム（２３、２４）にドクターブレードの量を伝達するためのデータ伝達手段（２０）を含み、データ管理システムは、データ収集手段（２２）と、運搬者に警告を与え、必要であれば、製紙／板紙工場に新しいドクターブレードを与える手段と同様に、データを処理する手段（２４）とを含む。
2004517404.tif 000002
【特許請求の範囲】
【請求項１】
ドクターブレードの必要性の管理方法において、
前記方法において、ドクターブレードは、製紙／板紙工場において保管され使用され、使用されるドクターブレードの量は監視され、
ドクターブレードの量に関する情報は、ドクターブレード状態を管理するためにドクターブレードの製造者／供給者のデータ管理システム（２３、２４）にデータ伝達手段（２０）によって伝達され、
ドクターブレードに関する情報は、データ管理システムに接続されるデータ収集手段（２２）によって受けとられ、
情報はデータ管理システム（２３、２４）中で処理され、
必要であれば、所望のドクターブレードの量を維持するためにドクターブレードは製紙／板紙工場に運搬されることを特徴とする方法。
【請求項２】
当該方法において、
ドクターブレードの量に関する情報は、製紙／板紙工場から、保管／取り扱い装置の論理システムに関連して配置された通信接続によって、ドクターブレード供給者／製造者の通信接続（２２）に伝達され、
ドクターブレードの量に関する情報は、集められ、コンピュータによって処理されることを特徴とする請求項１記載の方法。
【請求項３】
ある場所におけるドクターブレードの量が少なすぎると警告が発せられ、これに基づいて必要なドクターブレードが製紙／板紙工場に運搬されることを特徴とする請求項２記載の方法。
【請求項４】
ＧＳＭモデム、ＧＰＲＳモデム、又は均等物が通信接続として使用されることを特徴とする請求項２記載の方法。
【請求項５】
ドクターブレードの量についての情報が異なる場所から一緒に集められ、ドクターブレードデータベースに伝達され、
ドクターブレードデータベースは、情報を処理し、ある場所におけるドクターブレード状態がアクションリミットよりも下の場合には警告が発せられ、必要であれば、必要なドクターブレードが前記位置に運ばれることを特徴とする請求項１乃至４いずれか一項記載の方法。
【請求項６】
ドクターブレードキャリッジとの関連で、
ブレードボックスは所望の位置におかれ、
各キャリッジにおいて、ブレードの量が計測され、ドクターブレードは識別され、使用されるドクターブレードの長さがキャリッジに関連して設けられたメモリーに蓄えられ、
メモリーに接続されたデータ伝達手段によって、ドクターブレードの量についての情報が所望の間隔でドクターブレード製造者／供給者に送られることを特徴とする請求項１乃至５いずれか一項記載の方法。
【請求項７】
ドクターブレードの量に関する情報は、コンピュータプログラムによって処理するために、ＧＳＭモデム、ＧＰＲＳモデム、ドクターブレードの論理システムに接続された均等物によって、ＧＳＭネットワーク、ＧＰＲＳネットワーク、又は均等物を介して、ＧＳＭモデム、ＧＰＲＳモデム又はドクターブレード製造者／供給者の均等物に送られることを特徴とする請求項６いずれか一項記載の方法。
【請求項８】
自動ドクターブレードストアとの関連で配列された論理制御に基づいて使用されたドクターブレードの量に関する情報は蓄積され、情報は所望の間隔でデータ伝達手段を通じてドクターブレード製造者／供給者に送られることを特徴とする請求項１乃至５いずれか一項記載の方法。
【請求項９】
ドクターブレードストアに置かれたドクターブレード箱との関連で配列された近接スイッチにより、その近傍に置かれたドクターブレード箱が検出され、
ストアとの関連で置かれた近接スイッチは論理制御によって制御され、
これによって、箱の存在／欠如が検出され、ドクターブレード状態における変化に関する情報が、データ伝達手段によって、ドクターブレード製造者／供給者に伝達されることを特徴とする請求項１乃至５いずれか一項記載の方法。
【請求項１０】
ドクターブレードストアにおける与えられた識別位置におかれたドクターブレードは、ドクターブレードストアに位置されたドクターブレード箱との関連で配列された識別コードによって、個々に識別されることを特徴とする請求項１乃至５いずれか一項記載の方法。
【請求項１１】
ドクターブレードの必要性の管理システムであって、
製紙／板紙工場におけるドクターブレードのための保管／取り扱い装置およびドクターブレードの量を検出する手段を含む前記システムにおいて、
当該システムは、ドクターブレードの供給者／製造者のデータ管理システム（２３、２４）にドクターブレードの量を伝達するためのデータ伝達手段（２０）を含み、
データ管理システムは、データ収集手段（２２）と、運搬者に警告を与え、必要であれば、製紙／板紙工場に新しいドクターブレードを与える手段と同様に、データを処理する手段（２４）とを含むことを特徴とするシステム。
【請求項１２】
製紙／板紙工場におけるドクターブレード保管／ドクターブレード取り扱い装置は、
ＧＳＭモデム、ＧＰＲＳモデム、又はドクターブレード供給者／製造者のデータ収集手段（２２）に表データを送るためのドクターブレード保管／取り扱い装置の論理システムに関連して配置された均等物と、
表データを一緒に集めてデータベース（２４）で処理するコンピュータ（２３）と、
ある位置におけるドクターブレードの量が少なすぎると警告を発し、製紙／板紙機械に運搬する手段を含むことを特徴とする請求項１１記載のシステム。
【請求項１３】
当該システムは、全部の異なる表位置から一緒にドクターブレードの量を集め、ドクターブレードデータベースに伝達するデータ管理装置を含み、
ドクターブレードデータベースは、データを処理し、ある位置におけるドクターブレード状態がアクションリミットよりも少ないと警告を発することを特徴とする請求項１１又は１２記載のシステム。
【請求項１４】
当該システムは、ドクターブレードキャリッジとの関連で配置され、
ドクターブレードキャリッジブレードボックスは所望の位置におかれ、
各キャリッジは、所望のブレード量をとる計測装置と、ドクターブレードを識別する位置センサと、メモリーで使用されるドクターブレードの長さを蓄える手段と、所望の間隔でドクターブレード製造者に表データを送るメモリーに接続されたデータ伝達手段とを備えたことを特徴とする請求項１１乃至１３いずれか一項記載のシステム。
【請求項１５】
ＧＳＭモデム、ＧＰＲＳモデム、又は均等物は、ブレードキャリッジの均等物に接続され、
表データをコンピュータプログラムによって処理するために、ドクターブレードにおける表データを、ＧＳＭモデム、ＧＰＲＳモデム、ドクターブレードの論理システムに接続された均等物によって、ＧＳＭネットワーク、ＧＰＲＳネットワーク、又は均等物を介して、ＧＳＭモデム、ＧＰＲＳモデム又はドクターブレード製造者／供給者の均等物に送られることを特徴とする請求項１４記載のシステム。
【請求項１６】
当該システムは自動ドクターブレードストアとの関連で配列され、
前記自動ドクターブレードストアは、使用されたドクターブレードの量を蓄積する論理制御と、表データをドクターブレード製造者に送るデータ伝達手段を備えることを特徴とする請求項１１乃至１３いずれか一項記載のシステム。
【請求項１７】
当該システムはドクターブレードストアとの関連で配列され、
ドクターブレードストアにおいてドクターブレード箱との関連で近接スイッチが配列され、前記スイッチは、その近傍に置かれたドクターブレード箱を検出し、
前記スイッチを制御する論理制御はドクターブレードストアとの関連で配列され、
その結果、システムは箱の存在／欠如を検出し、ストアは、ドクターブレード箱の状態に関する情報をドクターブレード製造者／供給者に伝達するデータ伝達手段を備えることを特徴とする請求項１１乃至１３いずれか一項記載のシステム。
【請求項１８】
ドクターブレードストアは、近接スイッチの動作を検出する検出装置を含むことを特徴とする請求項１７記載のシステム。
【請求項１９】
当該システムはドクターブレードストアとの関連で配列され、
ドクターブレード箱との関連におけるドクターブレードストアには、識別番号が存在し、前記識別番号によって各ドクターブレードが個々に識別され、
ドクターブレードストアーとの関連において、位置を個々に識別するために、ドクターブレードが位置された各位置との関連で識別コードが存在し、
ドクターブレードストアーとの関連において、データ管理手段が配置され、データ管理システムに情報を伝達する手段と同様に、データ管理手段によって、ドクターブレードがドクターブレードストアに置かれ及びドクターブレードストアから取り除かれたときにドクターブレードストアにおけるドクターブレードに関する情報は検出されることを特徴とする請求項１１乃至１３いずれか一項記載のシステム。
【発明の詳細な説明】
【０００１】
本発明は、ドクターブレードの必要性の管理方法に関し、前記方法において、ドクターブレードは、製紙／板紙工場において保管され使用され、使用されるドクターブレードの量は監視されている。
【０００２】
本発明はまた、ドクターブレードの必要性の管理システムに関し、前記システムは、製紙／板紙工場におけるドクターブレードのための保管／取り扱い装置およびドクターブレードの量を検出する手段を含む。
【０００３】
ドクターブレードは、製紙／板紙機械の性能を保証する重要な部分であり、ロールに関連するブレードはロール表面の状態を維持し、ウエブ部分を、ロールの外へ通過させるパルパーへ走行させる。異なるタイプのドクターブレードがあり、それらは鋼、グラスファイバーラミネート、カーボンファイバーラミネート、及び他の混合材料等の異なる材料から成る。異なるタイプ及び異なる材料から成るドクターブレードが必要とされるのは、製紙／板紙機械の異なる基礎ユニットアセンブリグループのロールに関連して、ワイヤセクションから仕上セクションまで使用されるからであり、そのため要求は、ドクターブレードの最適な実行に関し様々である。このため、製紙／板紙工場は、機械に関連して、又はその近傍において、異なる使用のためのドクターブレードの保管を備えなければならない。ドクターブレードは多くの部位において重要であり、例えば、ドクターブレードが使い込まれて使用できなくなったり、損傷した場合に、適切なドクターブレードの取替えが可能でなければ、全機械を停止しなければならないであろう。
【０００４】
例えば、従来技術として知られているように、ドクターブレードの製造者／供給者の代理人は、規則的な間隔でドクターブレードの保管の表を作り、その表に基づいてブレードの十分な量の取替えを貯蔵庫へ運搬する。世界の異なる部分に製紙／板紙工場があり、ことなるタイプのドクターブレードの必要性があるので、これは、自然的に、多量の労力と人員を要求する。従って、大きなドクターブレード貯蔵庫が必要となり、これは費用の増加を招くことになる。
【０００５】
多くの場合、ドクターブレード状況の管理は、ドクターブレードが貯蔵庫から取り除かれ、製造者／供給者の所要物になるまでの段階でのみユーザーの所有物になるように手配される。このように、大きな貯蔵庫は、多量のドクターブレード製造者／運搬者の費用を引き上げる。
【０００６】
出願人のフィンランド実用新案登録３３９５は、ドクターブレードの操作に関連する配置について開示する。ここで、ドクターブレードは、貯蔵箱に配置され、異なるタイプのドクターブレードのコンパートメントを含む分離されたキャリッジ中に配置される。車輪を備えたキャリッジは、製紙又は板紙機械中における異なる位置へ簡単に移動でき、キャリッジは開閉自在で望ましくは透明な材料から成る覆いを含み、そのため、キャリッジ中に置かれた貯蓄箱及び箱上のラベルを、覆いを通じて見ることができる。開閉自在な覆いを備えたキャリッジによって、ボール紙から成るドクターブレード貯蓄箱および箱内のドクターブレードへの汚染および損傷を防止することができる。キャリッジの覆いはまたロックすることができ、これによって、選ばれた者のみがドクターブレードにアクセスすることができる。キャリッジの上のカバーとの関連で、異なる幅・異なる長さ・異なる材質から成るドクターブレードのコンパートメントに関するインデックスラベルがあるのが望ましい。
【０００７】
出願人のフィンランド特許１０３５９５は、ドクターブレードの保管のための配置を表し、貯蓄箱はドクターブレード用に使用され、保管箱の内側において、ドクターブレードはその端部において一緒に結合され、ブレードはコイルに巻かれている。ドクターブレードコイルは貯蓄箱に置かれ、ドクターブレードのコイルを、箱の側表面への開口を通じて、巻き解くことによって、ドクターブレードは貯蓄箱の外へ取り出す／引き出される。
【０００８】
出願人のフィンランド特許出願９８０５１４は、ドクターブレードのための貯蓄キャリッジであって、少なくとも１個のドクターブレードコイルを含みそこからドクターブレードを巻かないキャリッジを開示する。コイル上のドクターブレード材料は分離された計測装置および切断装置を解して巻き解かれる。切断装置は、計測装置からドクターブレードの引き抜き長さと、コイルに残っている残留長さが読める。所望の点において、コイルからドクターブレードの供給は停止され、ドクターブレードは所望の長さへ切られる。ドクターブレードコイルは、軸の周りにフィットし、回転的に設けられ、ドクターブレードのバンドは、分離されたガイドを通じて切断装置へ通過し、計測装置の計測検出器は切断装置の中間近傍に位置し、計測検出器は供給されたブレード長さを計測する。送られたブレード長さは、中央ユニットに関連して位置されたディスプレイから読むことができ、加えて、ドクターブレードコイル上に残されたブレード長さもディスプレイから読むことができる。ドクターブレードコイルは、分離されたキャリッジに位置され、製紙／板紙機械との関連で異なる位置へ移動され得り、同じキャリッジは異なる位置へ移動され、キャリッジは多くの異なるドクターブレードコイル及び分離された切断手段とドクターブレードコイルのための計測検出器を含む。
【０００９】
出願人のフィンランド特許１０３５９６は、ドクターブレードの交換のための装置を開示し、ドクターブレードはドクターブレードコイルから、望ましくはドクターブレード貯蓄箱から通過する。装置は、ロールの一端でブレード供給装置を含み、ロールの他端ではブレード引張装置を含む。両方の装置は、ブレードがドクターブレードコイルからロールの接合へ供給されるときに作動される。ドクターブレードは、従来のドクターブレードのためのドクターブレードホルダーのブレード開口へ通過し、そのホルダーは枠梁上に備えられ、ドクターブレードは、ブレード位置装置として、同時にロック手段として、動作する荷重装置の手段によってブレード開口中のその位置でロックされる。
【００１０】
出願人の上述の特許／出願／実用新案登録は、使用される前のドクターブレードの取り扱い／保管のための異なるタイプの配置を説明する。加えて、製紙又は板紙工場は多くの種類の貯蔵庫を使用し、その貯蔵庫中には異なるタイプのドクターブレードが異なる使用のために蓄えられ、各コンパートメントでは、与えられた使用のためのドクターブレードが蓄えられる。
【００１１】
本発明の目的は、ドクターブレードの必要性の管理のための新しい方法及びシステムを創り出すことである。
【００１２】
本発明の目的は、そこに行く必要なく、様々な製紙／板紙工場中でのドクターブレードに関する表を設立する配置を提供することである。
【００１３】
本発明の目的は、異なる製紙／板紙工場での使用の異なるサイトでのドクターブレードの必要性の表を作るための自動システムを有利にも提供することである。
【００１４】
本発明の１つの目的は、出願人の上述の特許／出願／実用新案登録で開示されたドクターブレードの取り扱い／保管のための配置との関連で使用のためのドクターブレードの必要性の管理のための方法及びシステムを創り出すことである。
【００１５】
後述するが、上記の目的は、主に以下を特徴とする本発明の方法によって成し遂げられる。即ち、ドクターブレードの量に関する情報は、ドクターブレード状態を管理するためにドクターブレードの製造者／供給者のデータ管理システムにデータ伝達手段によって伝達され、ドクターブレードに関する情報は、データ管理システムに接続されるデータ収集手段によって受けとられ、情報はデータ管理システム中で処理され、必要であれば、所望のドクターブレードの量を維持するためにドクターブレードは製紙／板紙工場に運搬される。
【００１６】
本発明の配置は順に、主に以下を特徴とするシステムである。即ち、システムはドクターブレードの供給者／製造者のデータ管理システムにドクターブレードの量を伝達するためのデータ伝達手段を含み、データ管理システムは、データ収集手段と、運搬者に警告を与え、必要であれば、製紙／板紙工場に新しいドクターブレードを与える手段と同様に、データを処理する手段とを含む。
【００１７】
本発明では、製紙／板紙工場においては、ドクターブレード状態の表は望ましくは、自動手続によって、例えば固定された間隔で作られ、メッセージはデータ伝達手段によってドクターブレード供給者／製造者のデータ収集手段に送られ、データ収集手段はメッセージを更にデータ管理システムに伝達し、各位置におけるドクターブレード状態が分析され、必要であれば、データ管理システムは警告を与え、必要なドクターブレードが問題の位置へ送られる。
【００１８】
本発明の有利な適用では、ドクターブレードの保管／取り扱い装置のロジックシステムに接続して配置されたＧＳＭモデムがデータ伝達手段として使用され、ＧＳＭモデムは表データをドクターブレード供給者／製造者の各データ収集手段、望ましくはＧＳＭモデムへ送り、表はコンピュータによって集められ、データベースへ伝送され、与えられた位置におけるドクターブレード供給低すぎるときは警告が与えられ、その後、必要なドクターブレードが問題の位置へ送られる。
【００１９】
本発明では、ＧＳＭモデムに代えて、データ伝達手段として、ワイヤレスデータ伝達に適用可能な他の望ましい類似の手段、例えば、ＧＰＲＳモデム又はその均等物を使うことができる。本発明では、ＧＳＭ又はＧＰＲＳタイプのワイヤレスグローバルネットワークに加えて、他の類似のネットワークを使用することができ、加えて必要であれば、データ伝達手段としてローカルネットワーク、例えばＷＬＡＮ及びブルートゥース原理に基づくデータ伝達ネットワークを使うことができる。必要であれば、データ伝達は、ワイヤデータ伝達として部分的に起こってもよい。
【００２０】
本発明の第一の有利な適用において、本発明はドクターブレードキャリッジとの接続においての使用に適しており、ブレード箱が所望の位置において並んで位置されている。当該キャリッジにおいて、与えられたブレード材料が必要であれば、切断および計測機械は問題の材料の箱に移動させられ、所望の長さのブレードが与えられ、装置がブレードを切断し、正しい長さとなる。キャリッジの機械はまた手動とすることもでき、この場合、装置のディスプレイは引き伸ばされたブレードの長さを示す。機械は、計測センサ及び位置センサを含む。本発明の自動表取り込みを許容するために、キャリッジのブレード材料は望ましくはいつも同じレギュラー位置に位置され、例えば、グラスファイバーブレード及びカーボンファイバーブレードがその位置に与えられ、切断されるべき材料のロッキングの場合を除いて機械のロッキングハンドルの外で全ての他のハンドルが開かれる。表は、キャリッジの論理システムはメモリーに異なる位置から切断ブレード長さを蓄積するように作られる。論理システムに接続されたデータ伝達手段、望ましくはＧＳＭモデムは、テキストメッセージとして、所定の間隔で表データをドクターブレードの製造者へ送る。ドクターブレード供給者は、データ管理装置、例えば、データ収集手段、望ましくはＧＳＭモデムデータを備えたコンピュータを備え、全ての表がコンピュータによって一緒に集められドクターブレードデータベースに伝達され、如何なる位置におけるドクターブレード供給が低すぎれば警告が発せられ、その後、前記位置が必要なドクターブレードと共に供給される。このように、ブレードキャリッジの論理システムに接続されたデータ伝達手段、望ましくはＧＳＭモデムが在ること、ドクターブレード製造者／供給者がデータ収集手段、望ましくはＧＳＭモデムの類似のタイプおよびデータ管理装置、望ましくはコンピュータを備えること、及び、キャリッジの論理システムに接続され、取り出されたブレード量を蓄え、データ伝達手段、望ましくはＧＳＭモデムに固定された間隔で伝達命令を与えることができるプログラムが在ることが要求される。このシステムは、きわめて簡易で信頼でき容易に実行でき、幾つかの異なる場所に位置するドクターブレードキャリッジのドクターブレード必要性を管理することができる。
【００２１】
本発明の第二の有利な適用において、自動ドクターブレードストアは論理制御によって備えられ、製紙又は板紙機械との関連で設けられ、巻き上げられたブレードに取って代わるためのロールのために新しいブレードを自動的に提供する。本発明におけるドクターブレード状態の管理は、ブレードキャリッジとの関係で上述の配置に対応した状態で起こる。論理システムはブレード供給装置に関連して設けられ、メモリーに使用されたブレードの量を蓄積し、通常はデータ伝達手段、望ましくはＧＳＭモデムを通じて表情報をドクターブレード製造者／供給者へ送り、上述の方法で情報は処理される。
【００２２】
本発明の第三の有利な適用において、ドクターブレードストアに設けられたドクターブレード箱との関連で、ドクターブレード状態に関する表データ管理は最も簡易に配置され、近接スイッチは各箱に配置され、スイッチは目的物が所謂動作距離に十分に近づいたときは回路を閉じ、開く。このような近接スイッチは誘導性、容量性、磁気性、光学的近接スイッチを含む。容量性近接スイッチが望ましくは本発明に使用され、容量性近接スイッチは電子的コンポーネントから成り可動部品を含み、その結果作動ライフが長い。加えて、これらは殆ど多くの材料と作用し、目的物がセンサの感知端部に近づいたときに弱くなる電界を発生する。センサは目的によって回路をオン・オフにスイッチする。ドクターブレードストア中で、容量性近接スイッチが各箱の位置に関連して、例えば後壁上に配置され、論理制御がスイッチ制御のためのストアに関連して設けられた場合に、箱の存在を検出する信頼できるシステムを得ることができる。この方法では、異なる材料のブレード箱が店の棚上において通常の位置を有することが要求される。この配置は以下の如く実行される。ドクターブレードストアが一杯のときは、全部の近接スイッチは、箱の存在の論理システムに通知する。如何なる箱がストアから取り除かれる場合は、問題の箱の位置の近接スイッチは取り除かれた箱の論理システムに通知し、論理システムはインパルスをデータ伝達手段、望ましくはＧＳＭモデムに与え、取り除かれた箱についての情報を、望ましくはテキストフォームでドクターブレード製造者／供給者に送る。データはいつも例えばコンピュータによって例えばＧＳＭモデムのようなデータ収集部に類似したタイプを介して集められ、変化毎の情報を集め、ドクターブレードデータベース中の表データをアップデートする。望ましくは、例えば赤光及び緑光のような表示光または他の表示システムが近接スイッチの状態を示すためにドクターブレードストア中の前において各箱の位置において設けられてもよい。例えば、ドクターブレード代理人がドクターブレードストアを一杯にする場合は、箱をその位置に上げ、表示光が近接スイッチが箱を検出することを表示し続けるまで棚上に深く箱を押す。同様に、箱が取り除かれる場合には、他の表示光が表示し続ける。この配置によって、中間情報は有利にもドクタブレードストア中で発生する如何なる変化について受けられ、データ伝達は製紙又は板紙工場のデータシステムへ接続される必要はない。更には、近接スイッチは低価で、動作において信頼でき、簡易である。近接スイッチの代わりに、例えば、マイクロ波、ＲＦ技術、誘電性プラグラム可能な識別装置を使うこともできるが、これらは今日の技術では困難で高価である。ドクターブレード状態の自動的表を作ることは、例えば、近接スイッチ技術を使用することにより、ドクターブレードストアにおいて近接スイッチ又は均等部材、論理システム、例えばＧＳＭモデムのようなデータ伝達手段、望ましくは表示ランプが在ることを要求する。同じ製紙／板紙機械の部屋において幾つかのドクターブレードストアが在れば、全ての近接スイッチ又は均等物の制御は同じ論理システム及び同じモデムによってなすことができる。
【００２３】
本発明の第四の有利な適用において、識別コード、例えばバーコードがドクターブレードストア中に置かれたドクターブレード箱に関連づけられ、コードは、使用された特別なドクターブレードのタイプおよび量を示し、特別なドクターブレードを識別するために関連付けられた適切なランダムの番号が示されている。識別コード、例えば、バーコードを用いて箱は個別にラベルされる。加えて、ドクターブレード箱がドクターブレードストアーに位置された場所は正確に識別され、例えばバーコードにより、新しいドクターブレード箱がドクターブレードストアーに置かれたときに、バーコードは読まれ、その位置のバーコードと混合されて、情報はデータ伝達手段によってデータ管理システムへ伝達され、どのドクターブレードの位置かを正確に知ることができる。例えば、その工場の位置している都市、顧客の名前、各ドクターブレードストアーにおけるドクターブレードの位置、ドクターブレードが使用されたときにどの種類のドクターブレードが問題の位置のドクターブレードストアーから取り除かれたのかを知ることができる。このようにして得られた情報は、データ伝達手段を通じてドクターブレード製造者／供給者へ伝達され、情報はデータ管理システムへ集められ、必要であれば、新しいドクターブレードが問題の位置へ運ばれる。
【００２４】
本発明のシステムでは、例えば、ドクターブレード箱がドクターブレードストアーから取り出されるとき又はドクターブレードが別のタイプの配置に使用されるときに、ドクターブレードがドクターブレードの製造者／供給者の所有から顧客への所有になる状況において特に良く使用に適している。
【００２５】
本発明によるドクターブレードの自動表−取り出しは、自動データ伝達、望ましくはＧＳＭ技術を使用しているので簡易に達成でき、信頼でき、製紙工場のデータシステムから独立している。全ドクターブレード管理が自動表取り出しを使用する場合は、ドクターブレードの製造者／供給者はリアルタイムデータベースを得ることができ、各製紙／板紙工場の必要性に従って最適な値に制限が発生される。
【００２６】
製紙／板紙工場は、工場でのブレードの量における変化を検出する４つの異なる基礎的方法を備える。
【００２７】
１．ブレード箱を自動ドクターブレードストアーから取り除いた場合に動作するマイクロスイッチが自動ドクターブレードストアーに在り、論理装置はマイクロスイッチ情報を伝達可能なフォームに変換し、情報の送り先を選択し、例えばＧＳＭモデムの如きデータ伝達手段によって情報は送られる。
【００２８】
２．ユーザーがブレードストアーからブレード箱を取るときに、それについての情報をＰＣへ供給する手動操作ドクターブレードストアーであって、当該ＰＣは情報を伝達可能なフォームに変換し、例えばＧＳＭモデムの如きデータ伝達手段によって情報は送られる。
【００２９】
３．例えばＧＳＭ電話のようなワイヤレス電話の使用に基づくシステムでは、ユーザーがドクターブレードストアーからブレード箱を取ると、それについての情報はテキストメッセージによって送られる。
【００３０】
４．工場におけるドクターブレードの製造者／供給者の代理人は直接情報を携帯型コンピュータのドクターブレードデータベースへ、望ましくはＧＳＭメッセージとして電子メールで送る。ドクターブレード製造者／供給者において、情報は異なるソースから受けたデータから集められ、例えば、モデムによってＧＳＮネットワークに接続され、ＧＳＭ制御配置と同様にシリアル及びパラレルポート及び、人が警告を与えるためのソフトウエアと、データベースに情報を伝達するためのデータベースに通知するソフトウエアと、表データをアップデートし、それらをアクションリミットと比較し、警告が発せられた場合にはそれについての情報を電子メールでストアメンテナンスにつき責任のある人に又はＧＳＭサーバに送るソフトウエアと同様に必要なデータベースとを備えたサーバによって集められる。
【００３１】
本発明のドクターブレードの管理は、有利な適用を参照して図１及び図２に概略が示されている。
【００３２】
図１に示される適用において、異なるタイプのドクターブレードストア又は製紙／板紙工場における取り扱い装置１１、１２、及び１３の必要性に関する情報は、データ伝達手段２０、望ましくはＧＳＭモデムによって、ドクターブレード製造者／供給者のＧＳＭネットワーク２１及びデータ収集手段２２、望ましくはＧＳＭモデムを通じて、コンピュータ２３のデータ管理システム２４に送られ、データ管理システムはデータを処理し、それが如何なる場所においてアクションリミットを検出すると、情報を更にデリバリーユニット３１に伝達し、その後、ドクターブレードの必要な量が矢印３２で示されるようにその場所へ送られる。
【００３３】
図２に示される適用においては、ドクターブレードの必要性は製紙／板紙工場に位置された注文４０によって注文される。製造者は、ドクターブレードの個々の識別のためにドクターブレード箱４１に、識別コード、例えばバーコードを張り付ける。識別コード、例えば、バーコードは、ドクターブレードを個々に識別する部分と同様に、ドクターブレードのタイプ及び数についての情報を含む。ドクターブレードが製紙／板紙工場に運ばれると、その識別コード、例えばバーコードが図中４３で示されるように読まれ、その後、ドクターブレードは正確に識別された位置において、ドクターブレードストアー４４に位置される。情報は、データ管理システム４７へ供給される。ドクターブレードがドクターブレードストアー又はドクターブレードのための運送キャリッジ４５から取り除かれると、情報は報告４６としてデータ伝達手段を介してデータ管理システム４８へ伝達され、情報を処理し、必要であれば、問題の場所へ新しいドクターブレードの運搬のための自動注文、ステージ４９を準備する。図２に示されるシステムにおいて、情報は望ましくはワイヤレスデータ伝達手段を利用して、例えば、ＧＳＭ又はＧＰＲＳシステムを利用して伝達される。ローカルネットワーク、例えば、ＷＬＡＮ又はブルートゥースシステムに基づくローカルネットワークを使うこともでき、必要であれば、データ伝達システムの部分をワイヤネットワークを介して備えてもよい。
【００３４】
上記では、本発明が有利な実施形態を参照して説明されたが、本発明はこれらに限定されるものではない。
【図面の簡単な説明】
【図１】
【図２】
【図２】
2004517404.tif 000003
【国際公開パンフレット】
2004517404.tif 000004
2004517404.tif 000005
2004517404.tif 000006
2004517404.tif 000007
2004517404.tif 000008
2004517404.tif 000009
2004517404.tif 000010
2004517404.tif 000011
2004517404.tif 000012
2004517404.tif 000013
2004517404.tif 000014
2004517404.tif 000015
2004517404.tif 000016
2004517404.tif 000017
2004517404.tif 000018
2004517404.tif 000019
2004517404.tif 000020
2004517404.tif 000021
2004517404.tif 000022
2004517404.tif 000023
2004517404.tif 000024
【手続補正書】
【提出日】平成15年4月23日(2003.4.23)
【手続補正１】
【補正対象書類名】明細書
【補正対象項目名】特許請求の範囲
【補正方法】変更
【補正の内容】
【特許請求の範囲】
【請求項１】
ドクターブレードの必要性の管理方法において、
ドクターブレードは、製紙／板紙工場において保管され使用され、使用されるドクターブレードの量は監視され、
ドクターブレードキャリッジとの関連で、ブレードボックスは所望の位置におかれ、
各キャリッジにおいて、ブレードの量が計測され、ドクターブレードは識別され、使用されるドクターブレードの量がキャリッジに関連して設けられたメモリーに蓄えられ、
メモリーに接続されたデータ伝達手段によって、ドクターブレードの量についての情報が所望の間隔でドクターブレード製造者／供給者に送られ、
ドクターブレードの量に関する情報は、ドクターブレード状態を管理するためにドクターブレードの製造者／供給者のデータ管理システム（２３、２４）にデータ伝達手段（２０）によって伝達され、
ドクターブレードに関する情報は、データ管理システムに接続されるデータ収集手段（２２）によって受けとられ、
情報はデータ管理システム（２３、２４）中で処理され、
必要であれば、所望のドクターブレードの量を維持するためにドクターブレードは製紙／板紙工場に運搬されることを特徴とする方法。
【請求項２】
ドクターブレード材料は、計測され、所望の長さに切断されることを特徴とする請求項１記載の方法。
【請求項３】
ドクターブレードの量に関する情報は、コンピュータプログラムによって処理するために、ＧＳＭモデム、ＧＰＲＳモデム、ドクターブレードの論理システムに接続された均等物によって、ＧＳＭネットワーク、ＧＰＲＳネットワーク、又は均等物を介して、ＧＳＭモデム、ＧＰＲＳモデム又はドクターブレード製造者／供給者の均等物に送られることを特徴とする請求項１又は２記載の方法。
【請求項４】
ドクターブレードの必要性の管理方法において、
ドクターブレードは、製紙／板紙工場において保管され使用され、使用されるドクターブレードの量は監視され、
ドクターブレードストアとの関連で配列された制御に基づいて使用されたドクターブレードの量に関する情報は蓄積され、情報は所望の間隔でデータ伝達手段を通じてドクターブレード製造者／供給者に送られ、
ドクターブレードの量に関する情報は、ドクターブレード状態を管理するためにドクターブレードの製造者／供給者のデータ管理システム（２３、２４）にデータ伝達手段（２０）によって伝達され、
ドクターブレードに関する情報は、データ管理システムに接続されるデータ収集手段（２２）によって受けとられ、
情報はデータ管理システム（２３、２４）中で処理され、
必要であれば、所望のドクターブレードの量を維持するためにドクターブレードは製紙／板紙工場に運搬されることを特徴とする方法。
【請求項５】
論理制御は、ドクターブレード供給装置との関連で配置されていることを特徴とする請求項４記載の方法。
【請求項６】
ドクターブレードの必要性の管理方法において、
ドクターブレードは、製紙／板紙工場において保管され使用され、使用されるドクターブレードの量は監視され、
ドクターブレードストアに置かれた手段は、その手段の近傍に置かれたドクターブレード箱を検出するために使用され、
ストアとの関連で置かれた手段は論理制御によって制御され、
これによって、箱の存在／欠如が検出され、ドクターブレード状態における変化に関する情報が、データ伝達手段によって、ドクターブレード製造者／供給者に伝達され、
ドクターブレードの量に関する情報は、ドクターブレード状態を管理するためにドクターブレードの製造者／供給者のデータ管理システム（２３、２４）にデータ伝達手段（２０）によって伝達され、
ドクターブレードに関する情報は、データ管理システムに接続されるデータ収集手段（２２）によって受けとられ、
情報はデータ管理システム（２３、２４）中で処理され、
必要であれば、所望のドクターブレードの量を維持するためにドクターブレードは製紙／板紙工場に運搬されることを特徴とする方法。
【請求項７】
ドクターブレードボックスを検出する手段は、論理制御によって制御されることを特徴とする請求項５記載の方法。
【請求項８】
ドクターブレードの量に関する情報は、製紙／板紙工場から、保管／取り扱い装置の制御に関連して配置された通信接続によって、ドクターブレード供給者／製造者の通信接続（２２）に伝達され、
ドクターブレードの量に関する情報は、集められ、コンピュータによって処理されることを特徴とする請求項１乃至７いずれか一項記載の方法。
【請求項９】
ある場所におけるドクターブレードの量が少なすぎると警告が発せられ、これに基づいて必要なドクターブレードが製紙／板紙工場に運搬されることを特徴とする請求項８記載の方法。
【請求項１０】
ＧＳＭモデム、ＧＰＲＳモデム、又は均等物が通信接続として使用されることを特徴とする請求項８記載の方法。
【請求項１１】
ドクターブレードの量についての情報が異なる場所から一緒に集められ、ドクターブレードデータベースに伝達され、
ドクターブレードデータベースは、情報を処理し、ある場所におけるドクターブレード状態がアクションリミットよりも下の場合には警告が発せられ、必要であれば、必要なドクターブレードが前記位置に運ばれることを特徴とする請求項１乃至１０いずれか一項記載の方法。
【請求項１２】
ドクターブレードストアにおける与えられた識別位置におかれたドクターブレードは、ドクターブレードストアに位置されたドクターブレード箱との関連で配列された識別コードによって、個々に識別されることを特徴とする請求項１乃至１１いずれか一項記載の方法。
【請求項１３】
ドクターブレードの必要性の管理システムであって、
製紙／板紙工場におけるドクターブレードのための保管／取り扱い装置およびドクターブレードの量を検出する手段を含む前記システムにおいて、
当該システムは、ドクターブレードの供給者／製造者のデータ管理システム（２３、２４）にドクターブレードの量を伝達するためのデータ伝達手段（２０）を含み、
データ管理システムは、データ収集手段（２２）と、運搬者に警告を与え、必要であれば、製紙／板紙工場に新しいドクターブレードを与える手段と同様に、データを処理する手段（２４）とを含み、
当該システムは、ドクターブレードキャリッジとの関連で配置され、
ドクターブレードキャリッジブレードボックスは所望の位置におかれ、
各キャリッジは、所望のブレード量をとる計測装置と、ドクターブレードを識別する手段と、メモリーで使用されるドクターブレードの量を蓄える手段と、所望の間隔でドクターブレード製造者に表データを送るメモリーに接続されたデータ伝達手段とを備えたことを特徴とするシステム。
【請求項１４】
当該システムは更に、ドクターブレードを計測し所望の長さに切断するためにドクターブレードキャリッジに関連して設けられた切断及び継続機械を含むことを特徴とする請求項１３記載のシステム。
【請求項１５】
ＧＳＭモデム、ＧＰＲＳモデム、又は均等物は、ブレードキャリッジの均等物に接続され、
表データをコンピュータプログラムによって処理するために、ドクターブレードにおける表データを、ＧＳＭモデム、ＧＰＲＳモデム、ドクターブレードの論理システムに接続された均等物によって、ＧＳＭネットワーク、ＧＰＲＳネットワーク、又は均等物を介して、ＧＳＭモデム、ＧＰＲＳモデム又はドクターブレード製造者／供給者の均等物に送られることを特徴とする請求項１３又は１４記載のシステム。
【請求項１６】
ドクターブレード識別手段は位置センサであることを特徴とする請求項１３乃至１５いずれか一項記載のシステム。
【請求項１７】
ドクターブレードの必要性の管理システムであって、
製紙／板紙工場におけるドクターブレードのための保管／取り扱い装置およびドクターブレードの量を検出する手段を含む前記システムにおいて、
当該システムは、ドクターブレードの供給者／製造者のデータ管理システム（２３、２４）にドクターブレードの量を伝達するためのデータ伝達手段（２０）を含み、
データ管理システムは、データ収集手段（２２）と、運搬者に警告を与え、必要であれば、製紙／板紙工場に新しいドクターブレードを与える手段と同様に、データを処理する手段（２４）とを含み、
当該システムは、使用されたドクターブレードの量を蓄積する制御およびドクターブレード製造者に表データを送るデータ伝達手段を備えたドクターブレード供給装置との関連で配置されていることを特徴とするシステム。
【請求項１８】
使用されたドクターブレードの量を蓄積する制御は論理制御であることを特徴とする請求項１７記載のシステム。
【請求項１９】
ドクターブレードの必要性の管理システムであって、
製紙／板紙工場におけるドクターブレードのための保管／取り扱い装置およびドクターブレードの量を検出する手段を含む前記システムにおいて、
当該システムは、ドクターブレードの供給者／製造者のデータ管理システム（２３、２４）にドクターブレードの量を伝達するためのデータ伝達手段（２０）を含み、
データ管理システムは、データ収集手段（２２）と、運搬者に警告を与え、必要であれば、製紙／板紙工場に新しいドクターブレードを与える手段と同様に、データを処理する手段（２４）とを含み、
当該システムはドクターブレードストアとの関連で配列され、
ドクターブレードストアにおいてドクターブレード箱との関連で、その近傍に置かれたドクターブレード箱を検出する手段が配列され、
ドクターブレード箱を検出する手段を制御する制御がドクターブレードストアとの関連で配列され、
その結果、ストアとの関連で、ドクターブレード箱の存在／欠如を検出するシステムが存在し、ストアは、ドクターブレード箱の状態に関する情報をドクターブレード製造者／供給者に伝達するデータ伝達手段を備えることを特徴とするシステム。
【請求項２０】
ドクターブレード箱を検出する手段は近接スイッチであることを特徴とする請求項１９記載のシステム。
【請求項２１】
ドクターブレード箱を検出する手段を制御する制御は論理制御であることを特徴とする請求項１９又は２０記載のシステム。
【請求項２２】
製紙／板紙工場におけるドクターブレード保管／ドクターブレード取り扱い装置は、
ＧＳＭモデム、ＧＰＲＳモデム、又はドクターブレード供給者／製造者のデータ収集手段（２２）に表データを送るためのドクターブレード保管／取り扱い装置の論理システムに関連して配置された均等物と、
表データを一緒に集めてデータベース（２４）で処理するコンピュータ（２３）と、
ある位置におけるドクターブレードの量が少なすぎると警告を発し、製紙／板紙機械に運搬する手段を含むことを特徴とする請求項１３乃至１９いずれか一項記載のシステム。
【請求項２３】
当該システムは、全部の異なる表位置から一緒にドクターブレードの量を集め、ドクターブレードデータベースに伝達するデータ管理装置を含み、
ドクターブレードデータベースは、データを処理し、ある位置におけるドクターブレード状態がアクションリミットよりも少ないと警告を発することを特徴とする請求項１３乃至２２いずれか一項記載のシステム。
【請求項２４】
ドクターブレードストアは、近接スイッチの動作を検出する検出装置を含むことを特徴とする請求項１３乃至２３いずれか一項記載のシステム。
【請求項２５】
当該システムはドクターブレードストアとの関連で配列され、
ドクターブレード箱との関連におけるドクターブレードストアには、識別番号が存在し、前記識別番号によって各ドクターブレードが個々に識別され、
ドクターブレードストアーとの関連において、位置を個々に識別するために、ドクターブレードが位置された各位置との関連で識別コードが存在し、
ドクターブレードストアーとの関連において、データ管理手段が配置され、データ管理システムに情報を伝達する手段と同様に、データ管理手段によって、ドクターブレードがドクターブレードストアに置かれ及びドクターブレードストアから取り除かれたときにドクターブレードストアにおけるドクターブレードに関する情報は検出されることを特徴とする請求項１３乃至２４いずれか一項記載のシステム。
【国際調査報告】
2004517404.tif 000025
2004517404.tif 000026
2004517404.tif 000027